(57)【要約】【課題】止水栓の二次側流路に水が残らないようにする。【解決手段】止水栓１の止水弁体４よりも流出口６側の流路から、止水栓本体２外に通じる排水路１３を設けて、閉栓状態において排水路１３を介して止水弁体４よりも流出口６側の流路の水を管外へ排出させる機能を備えた止水栓において、前記排水路１３を、前記流出口６側の流路の下部から引き出して止水栓本体２の下部に設けた排水口１１へ導き、その排水口１１に開閉自在のドレン弁１０を設けた。止水弁体４はスピンドル７の回転操作により回転して前記流路を開閉し、前記ドレン弁１０は前記止水弁体４とともに回転して、前記流路の閉栓状態で排水口１１を開放し、流路の開栓状態で排水口１１を閉塞させる。排水路１３が、二次側流路より低くなるので、止水栓１の二次側流路に水が残ることを防止し得る。また、ドレン弁１０の動作が、止水栓１の開閉動作に連動するのでその操作を省くことができ便利である。【選択図】図１
2007309412.tif 000002
【特許請求の範囲】
【請求項１】
止水栓本体２内に流入口３と流出口６とを結ぶ流路を設けてその流路を止水弁体４により開閉自在とし、前記止水弁体４よりも流出口６側の流路から止水栓本体２外に通じる排水路１３を設けて、前記流路の閉栓状態において、前記排水路１３を介して前記止水弁体４よりも流出口６側の流路の水を管外へ排出させる機能を備えた止水栓において、
前記排水路１３を、前記止水弁体４よりも流出口６側の流路の下部から引き出して前記止水栓本体２の下部に設けた排水口１１へ導き、その排水口１１に開閉自在のドレン弁１０を設けたことを特徴とする止水栓。
【請求項２】
前記止水弁体４は、前記止水栓本体２に設けたスピンドル７の回転操作により回転して前記流路を開閉し、前記ドレン弁１０は前記止水弁体４とともに回転して、その回転により、前記流路の閉栓状態で前記排水口１１を開放し、前記流路の開栓状態で前記排水口１１を閉塞することを特徴とする請求項１に記載の止水弁。
【請求項３】
前記止水弁体４よりも流出口６側の流路に逆止弁２０を設け、その逆止弁２０は、前記流出口６内に水密に挿入された筒状ソケット５内に設けられており、前記排水路１３は、前記筒状ソケット５と前記流出口６の内面との間に設けた溜まり空間１３ｂを介して、前記止水弁体４よりも流出口６側の流路と前記排水口１１とが連通して形成されることを特徴とする請求項１又は２に記載の止水弁。
【発明の詳細な説明】
【技術分野】
【０００１】
この発明は、水道配管などに使用される止水栓に関するものである。
【背景技術】
【０００２】
水道配管などに設けられる止水栓のうち、特に寒冷地で使用されるものには、一次側から二次側への水の流通を止めた閉栓状態において、二次側に滞留した水が管内で凍結しないよう、その二次側の水を管外に排出する水抜き機構を備えたものがある。
【０００３】
一般に、この種の水抜き機構を備えた止水栓は、メーターボックス内等に設置され、二次側に伸びる流出側の管路よりも下部に設けられており、主として地中に埋設されている。このため、止水栓の閉栓状態において、二次側の水圧でその止水栓内に残った水を管外に排出するものである。
【０００４】
例えば、特許文献１に記載の止水栓は、その開栓状態において、流路を開閉する止水弁体を経て、水が一次側（流入口側）から二次側（流出口側）へと流通可能となり、同時に二次側の水は、その水圧で止水栓本体上方に伸びる水抜き用の排水路（バイパス路）へも流入する。
この水抜き用の排水路は、止水弁体と一体に回転する開閉操作用のスピンドルに形成された排水孔へと通じ、そのスピンドルの排水孔は、止水弁体の開栓量、即ちスピンドルの回転角度に応じて前記排水路と連通、非連通に切り替わり、止水弁体の開栓状態で非連通に、閉栓状態で連通した状態となるようになっている。
このため、止水栓が閉栓状態となって、水抜き用の排水路と前記スピンドルの排水孔とが連通すると、二次側の水は、その二次側の水圧で排水路から排水孔へ流入し、スピンドル上部に設けた流出口より管外に排出される（例えば、特許文献１参照）。
【０００５】
また、特許文献２に記載の止水栓は、同じく、二次側から伸びる水抜き用の排水路が、止水弁体上方のスピンドルに形成された排水孔に通じており、そのスピンドルの排水孔から、外部に開口する排水口へと通じる流路の途中に、逆止弁を備えたものである。（例えば、特許文献２参照）。
【特許文献１】実開平５−６４５７９号公報
【特許文献２】特開２０００−３４５５９１号公報（第６頁、第１図及び第３図）
【発明の開示】
【発明が解決しようとする課題】
【０００６】
しかし、上記特許文献１，２に記載された止水栓では、二次側の水を管外に排出する排水口が、止水栓本体の上部にあるため、止水栓の二次側流路に残った水をすべて排出することが出来ず、残った水が凍結するという問題があった。
【０００７】
そこで、この発明は、止水栓の二次側流路に水が残らないようにすることを課題とする。
【課題を解決するための手段】
【０００８】
上記の課題を解決するために、この発明は、止水栓の二次側流路から伸びる水抜き用の排水路をその二次側流路の下部から引き出して止水栓本体の下部へ導き、その止水栓本体の下部に前記排水路を開閉するドレン弁を設けたのである。
このようにすれば、排水路は、止水弁本体の下部に導かれているので、二次側流路より低くなる。このため、止水栓の二次側流路に水が残ることを防止し得る。
【発明の効果】
【０００９】
この発明は、止水栓の二次側流路から伸びる水抜き用の排水路を止水栓本体の下部に導き、その止水栓本体の下部に前記排水路を開閉するドレン弁を設けたので、止水栓の二次側流路に水が残ることを防止し、止水栓内の水の凍結を防ぐことができる。
【発明を実施するための最良の形態】
【００１０】
この発明の実施形態として、止水栓本体内に流入口と流出口とを結ぶ流路を設けてその流路を止水弁体により開閉自在とし、前記止水弁体よりも流出口側の流路から止水栓本体外に通じる排水路を設けて、前記流路の閉栓状態において、前記排水路を介して前記止水弁体よりも流出口側の流路の水を管外へ排出させる機能を備えた止水栓において、前記排水路を、前記止水弁体よりも流出口側の流路の下部から引き出して前記止水栓本体の下部に設けた排水口へ導き、その排水口に開閉自在のドレン弁を設けた構成を採用した。
【００１１】
このようにすれば、止水弁体の流出口側の流路、すなわち止水栓の二次側流路の水を、閉栓後、その止水栓の外に排出することができるので、その二次側流路に水が残らない。このため、管内の水の凍結を防ぐことができる。
また、その排水口が止水栓本体の下部に設けられるので、その排水路及び排出される水が、止水栓の開閉操作の邪魔にならない。また、水が止水栓の下方に排水されるので止水栓本体を濡らすことがない。
【００１２】
上記の構成において、止水弁体は、前記止水栓本体に設けたスピンドルの回転操作により回転して前記流路を開閉し、前記ドレン弁は前記止水弁体とともに回転して、その回転により、前記流路の閉栓状態で前記排水口を開放し、前記流路の開栓状態で前記排水口を閉塞する構成を採用することができる。
このようにすれば、水抜き用の排水路を開閉するドレン弁の動作が、止水栓の開閉動作に連動するので、ドレン弁を開閉する操作を省くことができ便利である。
【００１３】
さらに、前記止水弁体よりも流出口側の流路に逆止弁を設け、その逆止弁は、前記流出口内に水密に挿入された筒状ソケット内に設けられており、前記排水路は、前記筒状ソケットと前記流出口の内面との間に設けた溜まり空間を介して、前記止水弁体よりも流出口側の流路と前記排水口とが連通して形成される構成を採用することができる。
このようにすれば、水抜き用の排水路を設けやすくなり、止水栓の部品点数を少なくすることができる。
【実施例】
【００１４】
一実施例を図１乃至図７に基づいて説明する。この実施例は、地中に埋設されたメーターボックス内等において水道管に取り付けられる止水栓１であり、流路を開閉する止水弁体４として回転式のボール弁体を使用したものである。
【００１５】
止水栓１の構成は、止水栓本体（ケーシング）２内に、流入口３と流出口６とを結ぶ流路が貫通して設けられており、その流入口３に水道管の一次側流路が、流出口６に逆止弁２０を介して水道管の二次側流路が接続されるようになっている。
【００１６】
止水弁体４は、図１及び図４に示すように球状を成し、その止水弁体４の上部に形成した溝４ｃに、止水弁本体２に回転可能に支持されたスピンドル７の下端７ａが嵌合している。そのスピンドル７の上端は、止水栓本体２の上部に突出し、そのスピンドル７の上端に取付けたハンドル８を手動で操作してスピンドル７を軸周り回転させれば、止水弁体４も同方向に同角度だけ回転するようになっている。
止水弁体４の回転により、その止水弁体４に形成され横方向に貫通する中孔４ａがその向きを変え、前記流入口３と流出口６とを結ぶ流路を開閉する。なお、図４は中孔４ａの向きが流路の向きと同方向となった開栓状態を示し、図１は中孔４ａの向きが流路の向きと直角方向となった閉栓状態を示している。
【００１７】
また、止水栓１には、前記止水弁体４よりも流出口６側に位置する二次側流路において、逆止弁２０が設けられている。逆止弁２０は、止水弁体４を通過して一次側流路から二次側流路に供給された水が、再度一次側流路に逆流することを防止している。
【００１８】
逆止弁２０の構成は、前記止水栓１の断面円形の流出口６内に、円筒状を成す挿入部５ｂを有する筒状ソケット５が、その外周に嵌る環状のパッキン５ｃ，５ｃを介して水密に挿入可能となっている。筒状ソケット５は、その水密状態を維持しながら止水弁本体２に対して筒軸方向に移動可能である。また、その流出口６の端部（外周）に、パッキン５ｄ等を介してナット２６をねじ込んで締付けることにより、その筒状ソケット５が流出口６に対して固定される。
【００１９】
逆止弁２０の弁体２１は、この筒状ソケット５内の通水部９に設けられた弁孔２５の弁座２４に接離可能となっている。また、その弁体２１は、ばね２２の弾性力によって前記弁座２４に当接する方向へ付勢されている。
図４に示す開栓状態において、矢印Ａの方向へ水が流れれば、弁体２１は、図中右方向へと押されて弁座２４から離れ、流路２３を通って矢印Ｂのように二次側流路へ水が供給される。また、図１に示す閉栓状態において、弁体２１は、ばね２２の付勢力によって弁座２４に当接し弁孔２５を閉じる。
【００２０】
その逆止弁２０よりもさらに流末側に位置する二次側流路から、止水栓本体２外に通じる排水路１３が設けられている。
排水路１３は、前記筒状ソケット５と前記流出口６の内面との間に設けた溜まり空間１３ｂを介して二次側流路から引き出され、止水栓本体２の下部において止水弁体４の直下に設けた排水口１１に導かれている。排水口１１は、止水弁本体２の外部に開口している。
溜まり空間１３ｂは、前記両パッキン５ｃ，５ｃに挟まれた部分において、その筒状ソケット５の外周全周に凹部５ａを形成することにより、流出口６の内周面との間においてその全周に亘って連続的に確保される。
前記筒状ソケット５内の通水部９と前記溜まり空間１３ｂとは、その筒状ソケット５に形成された内外方向の貫通孔１３ａを介して連通しており、さらに、その溜まり空間１３ｂは、止水弁本体２側に設けた排水孔１３ｃを通じて前記排水口１１に至っている。溜まり空間１３ｂが全周に亘って設けられているので、排水孔１３ｃの位置と溜まり空間１３ｂとを連通させる際に、筒状ソケット５の流出口６に対する向き（周方向位置）を調整する必要がない。
【００２１】
止水弁体４の直下に設けられた排水口１１には、ドレン弁１０が設けられており、前記排水路１３の止水栓本体２外への開放、閉塞を切り換えできるようになっている。
【００２２】
ドレン弁１０の弁本体１２は断面円形を成し、その外周部１２ｂが、同じく断面円形を成す前記排水口１１の内周にパッキン１４ａを介して水密に摺動する。また、弁本体１２は、上方に突出する軸部がパッキン１４ｂを介して止水栓本体２の下部に形成した穴２ａに嵌って軸周り回転可能に支持されている。その軸部の上端１２ｅは止水栓本体２内に伸びて、止水弁体４の下部に形成した溝４ｂに嵌合している。このため、止水弁体４の回転とともに、ドレン弁１０の弁本体１２も同方向に同角度だけ回転する。
【００２３】
また、弁本体１２には、下方に突出するねじ軸１２ｃが設けられており、そのねじ軸１２ｃは、前記止水栓本体２の下部にねじ１６を介して前記排水口１１を覆うように取付けられるカバー１５を貫通して、その下端にナット１２ｄがねじ込まれる。このナット１２ｄを弁本体１２の回転を阻害しない程度の強さでねじ軸１２ｃに締付ければ、カバー１５と弁本体１２とが相対回転可能な状態で支持される。
【００２４】
また、ドレン弁１０の弁本体１２には排出孔１２ａが、また、前記カバー１５にも、前記排出孔１２ａと同程度の内径を有する排出孔１５ａが形成されている。なお、この実施例では、排出孔１５ａが排出孔１２ａよりもわずかに大きな径となっている。
止水弁体４の回転に伴ってドレン弁１０の弁本体１２が回転すれば、排出孔１２ａがその回転方向に沿って移動する。この移動により、両排出孔１２ａ，１５ａの位置が一致すれば排水口１１は外部に開放され（図２参照）、異なる位置となれば、排水口１１は閉塞される（図５参照）。
【００２５】
上記構成により、図４に示すように、前記止水弁体４が流路を開栓した状態において、ドレン弁１０は排水口１１を閉塞し、図１に示すように、前記止水弁体４が流路を閉栓した状態において、ドレン弁１０は排水口１１を開放するので、その閉栓状態において、排水路１３を介して前記逆止弁２０よりもさらに流末側の流路に滞留する水を、図１に示す矢印Ｃ，Ｄのように、管外へ排出させることができる。
【図面の簡単な説明】
【００２６】
【図１】一実施例を示し、閉栓状態においてドレン弁が開放されている状態を示す
【図２】図１のドレン弁を示す一部切断斜視図
【図３】図１のカバーを示す底面図
【図４】同実施例を示し、開栓状態においてドレン弁が閉塞されている状態を示す
【図５】図４のドレン弁を示す一部切断斜視図
【図６】図４のカバーを示す底面図
【図７】筒状ソケットの要部拡大斜視図
【符号の説明】
【００２７】
１  止水栓
２  止水栓本体（ケーシング）
３  流入口
４  止水弁体
５  筒状ソケット
６  流出口
７  スピンドル
８  ハンドル
９  通水部
１０  ドレン弁
１１  排水口
１２  弁本体
１２ａ，１５ａ  排出孔
１３  排水路
１３ａ  貫通孔
１３ｂ  溜まり空間
１３ｃ  排水孔
１５  カバー
２０  逆止弁
２１  弁体
２２  ばね
２５  弁孔
【図１】
2007309412.tif 000003
【図２】
2007309412.tif 000004
【図３】
2007309412.tif 000005
【図４】
2007309412.tif 000006
【図５】
2007309412.tif 000007
【図６】
2007309412.tif 000008
【図７】
2007309412.tif 000009